(57)【要約】      （修正有）【課題】ブラジャーコップを中央へ容易に調整することができ、ブラジャーコップの構造が破壊されることなく、耐久性が向上するブラジャーを提供する。【解決手段】ブラジャー２０は、内部にブラジャーコップ２１，２２が設けられており、少なくとも、前記各ブラジャーコップ２１，２２の下のエッジに設けられている二つの貫入リング２１１，２２１と、前記各貫入リング２１１，２２１を順次に貫入して前記各ブラジャーコップ２１，２２の位置を調整する一つの貫入具２３と、を含む。【選択図】図３
0003145793.tif 000002
【実用新案登録請求の範囲】
【請求項１】
内部に設けられているブラジャーコップと、
少なくとも前記各ブラジャーコップの下のエッジに設けられている二つの貫入リングと、
前記各貫入リングを順次に貫入して前記各ブラジャーコップの位置を調整する一つの貫入具と、を含むことを特徴とする、ブラジャー。
【請求項２】
更に、少なくとも一つの位置決めユニットを含み、前記位置決めユニットと、前記位置決めユニットに貫入された貫入具とにより、前記各ブラジャーコップの位置を調整することができることを特徴とする、請求項１に記載のブラジャー。
【請求項３】
前記貫入リングは、前記各ブラジャーコップの下のエッジに設けられており、且つブラジャーの中央部を中心として対称にしていることを特徴とする、請求項１に記載のブラジャー。
【請求項４】
前記貫入リングは縄状物を使用することを特徴とする、請求項１乃至請求項３の何れか１項に記載のブラジャー。
【請求項５】
前記貫入具は縄状物を使用することを特徴とする、請求項１乃至請求項４の何れか１項に記載のブラジャー。
【考案の詳細な説明】
【技術分野】
【０００１】
本考案は、ブラジャーコップを中央へ容易に調整することができるブラジャーに関する。
【背景技術】
【０００２】
台湾特許出願第９５２０９４７５号公報に記載の「ブラジャー」は、図１に示すように、各ブラジャーコップ１１の隣接する箇所で貫通孔１２が開設されており、且つ各ブラジャーコップ１１の内側の下縁がライニング１３の下縁と結合されており、ライニング１３の貫通孔１２が繋がり具１４に貫入されており、前記繋がり具１４の両端が繋がると、ブラジャーコップを中央へ調整することができる。
【特許文献１】台湾特許出願第９５２０９４７５号公報
【考案の開示】
【考案が解決しようとする課題】
【０００３】
しかしながら、これは次のような欠点があった。
（１）ブラジャー１０にライニング１３を使用しないと、ブラジャーコップを中央へ調整することができないので、ライニング１３を作製するための素材を別に購入することが必要であり、そしてライニング１３とブラジャーコップ１１を結合する作業には工数が掛かり、生産コストが増加する。
【０００４】
（２）ライニング１３の繋がり具１４に貫入される貫通孔１２は、ブラジャーコップ１１に別に開設することが必要であるので、ブラジャーコップ１１の構造が破壊され、そして繋がり具１４の長期間の引っ張りによってブラジャーコップ１１が損壊し易い。
【０００５】
本考案の主な目的は、ブラジャーコップを中央へ容易に調整することができ、ブラジャーコップ１１の構造が破壊されることなく、耐久性が向上するブラジャーを提供することにある。
【課題を解決するための手段】
【０００６】
本考案の請求項１に記載のブラジャーによると、内部にブラジャーコップが設けられており、少なくとも、前記各ブラジャーコップの下のエッジに設けられている二つの貫入リングと、前記各貫入リングを順次に貫入して前記各ブラジャーコップの位置を調整する一つの貫入具と、を含むことを特徴とするブラジャーである。
【０００７】
本考案の請求項２に記載のブラジャーによると、更に、少なくとも一つの位置決めユニットを含み、前記位置決めユニットと、前記位置決めユニットに貫入された貫入具とにより、前記各ブラジャーコップの位置を調整することができる。
【０００８】
本考案の請求項３に記載のブラジャーによると、前記貫入リングは、前記各ブラジャーコップの下のエッジに設けられており、且つブラジャーの中央部を中心として対称にしている。
【０００９】
本考案の請求項４に記載のブラジャーによると、前記貫入リングは縄状物を使用する。
【００１０】
本考案の請求項５に記載のブラジャーによると、前記貫入具は縄状物を使用する。
【考案の効果】
【００１１】
本考案のブラジャーによれば、次のような効果がある。
（１）貫入リングに貫入された貫入具は、位置決めユニットによって何時でもブラジャーコップを、ユーザが快適を感じる位置に調整することができ、ユーザに愛用され易い。
【００１２】
（２）貫入リングは、ブラジャーコップに直接に成形され、貫入具及び位置決めユニットに合せると、ライニングを使用することが不要となるので、ライニングを作製するための素材を別に購入することが必要となくなり、そしてライニングとブラジャーコップを結合する作業を省略することもでき、生産コストが低減する。
【００１３】
（３）貫入リングがブラジャーコップに直接に結合されたので、ブラジャーコップの構造が破壊されることなく、従来のもののように繋がり具の長期間の引っ張りによってブラジャーコップが損壊され易いことがなくなる。
【考案を実施するための最良の形態】
【００１４】
以下、本考案の実施の形態を図面に基づいて説明する。
【００１５】
本考案に係るブラジャー２０は、図２に示すように、各ブラジャーコップ２１，２２の一側の下縁に少なくとも二つの貫入リング２１１，２２１が成形されており、各貫入リング２１１，２２１は、ブラジャー２０の中央部２０１を中心として対称にしており、縄状物を使用し、連続成形されたものと、非連続成形されたものと、に分けられ、これらの成形距離は、一定でもいいし、一定ではなくでもよい。
【００１６】
ブラジャー２０は、更に、縄状物を使用する貫入具２３を少なくとも一つ有する。また、ブラジャー２０は、図４に示すように、少なくとも一つの位置決めユニット２４を含み、位置決めユニット２４は、楕円形状を呈する押圧具２５と、楕円形状を呈する収容具２６と、バネ２７と、を含み、押圧具２５には貫通孔２５１が開設されており、収容具２６に押圧具２５が移動自在に収容されており、押圧具２５と収容具２６の間にバネ２７が設けられており、押圧具２５が常時にバネ２７に付勢され、且つ押圧具２５の貫通孔２５１が収容具２６の貫通孔２６１に対応している。
【００１７】
次に、図２及び図３を参照しながら、本考案に係るブラジャー２０の使用状態を説明する。まず、ブラジャーコップ２１，２２の第一組の貫入リング２１１，２２１に貫入具２３をそれぞれ貫入して、貫入具２３を交差して、第二組の貫入リング２１１，２２１に貫入具２３をそれぞれ貫入して、貫入具２３を交差して、第三組の貫入リング２１１，２２１に貫入具２３をそれぞれ貫入して、貫入具２３を交差して繋がり、又、図４、図５及び図６に示すように、位置決めユニット２４をよって貫入具２３の両端を固定する。
【００１８】
押圧具２５と収容具２６とバネ２７に貫入具２３を合せて動作する状態は、押圧具２５が外力を受ける状態と、押圧具２５が外力を受けていない状態と、に分けられる。
【００１９】
押圧具２５が外力を受ける場合には、押圧具２５が外力を受けてバネ２７を圧縮して押圧具２５が内側に変位され、このとき、押圧具２５の貫通孔２５１が収容具２６の貫通孔２６１に対応しているので、貫通孔２５１，２６１に貫入具２３を貫入することができる。
【００２０】
押圧具２５が外力を受けていない場合には、押圧具２５がバネ２７の弾性力によって外側に変位され、このとき、押圧具２５の貫通孔２５１が収容具２６の貫通孔２６１に対応していないので、貫入具２３が押圧具２５と収容具２６に押付けられて固定される。
【００２１】
ブラジャーコップ２１，２２の貫入リング２１１，２２１に貫入具２３をそれぞれ貫入して、貫入具２３を引っ張った後に、位置決めユニット２４によって貫入具２３の両端を固定することにより、ユーザはブラジャーコップを快適が感じる位置に調整することができ、且つユーザは、自分の乳房の形状によって貫入リング２１１，２２１を適当に選択し（連続、又は非連続に）、貫入することができる。
【００２２】
一方、本考案は、一組の貫入リング２１１，２２１に、一つの貫入具２３と、二つの位置決めユニット２４と、を合せてもよく、多数組の貫入リング２１１，２２１に一つの貫入具２３を貫入することに限定されるものではない。そうすると、ユーザは、自分の乳房の形状によって、ブラジャーコップを快適が感じる位置に自由に調整することができる。
【図面の簡単な説明】
【００２３】
【図１】従来のブラジャーの斜視図
【図２】本考案に係るブラジャーに位置決めユニットが取り付けられていない状態を示す分解斜視図
【図３】本考案に係るブラジャーに位置決めユニットが取り付けられていない状態で、ブラジャーコップが中央へ調整されたことを示す概略図
【図４】本考案に係るブラジャーに位置決めユニットが取り付けられている状態を示す分解斜視図
【図５】位置決めユニットが取り付けられた本考案に係るブラジャーがユーザに着られた状態の概略図
【図６】本考案に係るブラジャーに位置決めユニットが取り付けられている状態で、ブラジャーコップが中央へ調整されたことを示す概略図
【符号の説明】
【００２４】
１０    ブラジャー
１１    ブラジャーコップ
１２    貫通孔
１３    ライニング
１４    繋がり具
２０    ブラジャー
２１    ブラジャーコップ
２２    ブラジャーコップ
２３    貫入具
２４    位置決めユニット
２５    押圧具
２６    収容具
２７    バネ
２０１  中央部
２１１  貫入リング
２２１  貫入リング
２５１  貫通孔
２６１  貫通孔
【図１】
0003145793.tif 000003
【図２】
0003145793.tif 000004
【図３】
0003145793.tif 000005
【図４】
0003145793.tif 000006
【図５】
0003145793.tif 000007
【図６】
0003145793.tif 000008